(57)【要約】要約書　なし。【特許請求の範囲】
【請求項１】
チケット発行のための装置であって、
チケットの表現を無線装置に送信するための送信手段と、
前記無線装置上の前記チケットの表現の有効性を検証するための検証手段とを含む、装置。
【請求項２】
前記送信手段は第１の場所にあり、前記検証手段は前記第１の場所から遠隔にある第２の場所にあり、前記第２の場所はチケット保有者が前記チケットを品物またはサービスと引換える地点である、請求項１に記載の装置。
【請求項３】
前記送信手段は、無線装置とチケットの表現の生成源との間で使用可能な回線交換またはパケットに基づく通信システムを使用する送信機手段を含む、請求項１または２に記載のアプリケーション。
【請求項４】
前記送信手段は、前記チケットの表現を前記遠隔の無線装置に送信する前に前記チケットの表現を符号化するための符号化手段を含む、請求項１から３のいずれかに記載の装置。
【請求項５】
前記チケットの表現は、前記符号化手段によってバーコードフォーマットで符号化される、請求項４に記載の装置。
【請求項６】
前記送信手段は、チケットの要求を受取るための手段および／またはチケットへの支払を受取るための手段を含む、請求項１から５のいずれかに記載の装置。
【請求項７】
前記送信手段は、前記チケットの前記無線装置への配信を確認するための手段を含む、請求項１から６のいずれかに記載の装置。
【請求項８】
前記検証手段は、読取るための読取手段を含む、請求項１から７のいずれかに記載の装置。
【請求項９】
前記検証手段は、符号化されたチケットを復号するための復号手段を含む、請求項１から８のいずれかに記載の装置。
【請求項１０】
前記検証手段は、有効なＰＵＩＤチケットの詳細を含むデータベースを含む、請求項９に記載の装置。
【請求項１１】
前記検証手段は、検証の結果を示すための指示手段を含む、請求項１から１０のいずれかに記載の装置。
【請求項１２】
請求項１から１１のいずれかに記載の送信手段。
【請求項１３】
チケットの表現を受取るための手段と前記チケットの表現を記憶するための記憶手段とを含む、無線装置。
【請求項１４】
前記チケットを表示するための表示手段を含む、請求項１３に記載の無線装置。
【請求項１５】
前記チケットの受取および表示を可能にするソフトウェアを含む、請求項１３または１４に記載の無線装置。
【請求項１６】
チケット発行のための方法であって、
チケットの表現を無線装置に送信するステップと、
前記無線装置上に提示された前記チケットの表現の有効性を検証するステップとを含む、方法。
【請求項１７】
前記送信するステップは、第１の場所で実行され、前記検証のステップは、前記第１の場所から遠隔にある第２の場所で実行され、前記第２の場所は、チケットの引換者の敷地である、請求項１６に記載の方法。
【請求項１８】
送信する前に前記チケットを符号化するステップを含む、請求項１６または１７に記載の方法。
【請求項１９】
送信された前記チケットが前記無線装置によって受取られたことを確かめるステップを含む、請求項１６から１８のいずれかに記載の方法。
【請求項２０】
前記検証するステップは、前記符号化されたチケットを読取り、必要であれば復号するステップを含む、請求項１６から１９のいずれかに記載の方法。
【請求項２１】
前記検証するステップは、前記無線装置上の前記チケットをデータベースに含まれる有効なチケットの組と比較するステップも含む、請求項１６から１９のいずれかに記載の方法。
【請求項２２】
前記データベースを更新して有効なチケットの詳細の検索可能なリストを維持するステップを含む、請求項２１に記載の方法。
【発明の詳細な説明】
【０００１】
この発明は、チケット発行のための装置および方法に関する。特に、この発明は、無線装置に対するチケットの表現（以下、個人ユーザ識別（ＰＵＩＤ、Ｐｅｒｓｏｎａｌ Ｕｓｅｒ Ｉｄｅｎｔｉｆｉｃａｔｉｏｎ）チケットと呼ぶ）を提供することに関する。
【０００２】
多くのさまざまな種類のチケットが有料または無料で広く提供されており、これらのチケットは、後に品物、サービスまたはその他の目的のために交換される。たとえば、チケットは、ナイトクラブやスポーツクラブ、または劇場などの何らかの場所に入場するために購入されることがある。
【０００３】
劇場などの場所の場合、利用者が前もってチケットを購入しているのが普通である。このためには、利用者は劇場からチケットを回収しなければならないか、または、チケットは利用者に郵送される。このシステムの１つの問題点は、公演の前に利用者が劇場を訪れるのはしばしば不可能または不便だということであり、チケットを配達するために郵便システムを使用するということは、利用者は郵送期間を見越して十分前もってチケットを要求する必要があることを意味することである。
【０００４】
ナイトクラブなどの会場では、利用者は通常チケットを持たずに会場に到着し、入場する前にチケットを購入する。そのような会場の外には長い列が形成されているのが普通であるが、これは、多くの利用者が敷地に到着してその場でその敷地に入りたいと考えるためである。このような列が存在すると、会場の利用者にとって面倒であるし、列をきちんと維持するために警備員を雇わなければならないことがあるため、会場の提供者にとっても面倒である。
【０００５】
さらに、ナイトクラブなどの会場の場合、顧客層についての情報を入手するのが難しいことが多い。これは、チケット購入者がほとんど必ずといっていいほど入口で現金で支払うため、会場提供者が顧客層を評価する際に利用できる詳細な情報が提供されないためである。
【０００６】
その他の種類のチケットも、たとえば、小売業者が品物やサービス、会場への無料入場などと引換えることのできる無料クーポンチケットを提供することによって品物およびサービスの販売を促進する場合に使用される。販売促進を行なう人は、従来、これらのクーポンチケットを雑誌、新聞またはこれに代えて／さらに手渡しで配布する。したがって、残念なことに、販売促進する人にアクセスすることのできるのは、適切な新聞または雑誌を読んでいる人か、またはクーポンが手渡しされている場所に居合わせた人のみである。
【０００７】
もう１つの種類のチケットは、ロイヤルティチケットである。品物またはサービスの提供者、たとえば、スーパーマーケットなどが顧客にロイヤルティチケットを提供する。顧客は小売業者の品物またはサービスを購入するたびにこれを提示し、小売業者はロイヤルティチケットにポイントを与える。このポイントはさらなる品物／サービスと交換できる現金の価値を持ってもよい。これは必要なインフラを持たない小売業者にとっては現実的な選択肢ではないかもしれない。
【０００８】
さらに別の種類のチケットには、図書館、スポーツクラブまたはビデオクラブなどの施設によって発行される会員チケットがある。従来、これらの会員チケットは、プラスチックまたはラミネートの厚紙のカードとして提供される。多くの異なる施設に所属する場合、複数のカードを持ち運ぶ必要があり、これは煩わしくかつ不便である。
【０００９】
この発明は、上述の問題を改善するために使用できるシステムを提供することを目指す。
【００１０】
第１の局面では、チケット発行のための装置が提供され、この装置は、
チケットの表現を無線装置に送信するための送信手段と、
前記無線装置上の前記チケットの表現の有効性を検証するための検証手段とを含む。
【００１１】
チケットの表現は、符号化されたもの、暗号化されたもの、またはその他グラフィックのもの、数値のもの、もしくはその他チケットでの特定の取引を可能にするのに十分な詳細情報を提供するものなど、いかなる表現も意味することが好ましい。チケットの表現は、チケットでの取引において他のいかなる形のチケットまたはレシートの必要性に取って代わるように意図されるのが好ましい。
【００１２】
チケットの表現は、無線装置に送信し得るチケット情報のまとまり全体の一部であってもよく、たとえば、送信手段はチケット表現とともに（またはその代わりに）何らかの他のチケット情報を無線装置に送信してもよい。
【００１３】
チケットの表現（および／またはその他いかなるチケット情報）は、以下、個人ユーザ識別（ＰＵＩＤ）チケットと称する。
【００１４】
好ましい実施例では、送信手段は、たとえば、ＰＵＩＤチケット発行センターなどの第１の場所にあり、検証手段は第２の場所にある。第２の場所は、たとえば、チケット保有者がチケット引換者の品物、サービス等とチケットを引換える地点である。多くの応用例において、第１の場所と第２の場所とは互いに遠隔にある。
【００１５】
送信手段は、たとえば、無線装置とＰＵＩＤ生成源との間で使用可能な回線交換またはパケットに基づく通信のシステムを使用できる発信手段を含むのが好ましい。ここでは、これはＳＭＳを使用するＧＳＭが好ましいが、ＴＤＭＡ、ＣＤＭＡ、ＧＰＲＳ、ＵＭＴＳ、ＥＤＧＥまたはその他いかなる無線システムも含まれ得る。
【００１６】
好ましい実施例では、送信手段は、ＰＵＩＤチケットを遠隔の無線装置に送信する前にＰＵＩＤチケットを符号化するための符号化手段も含む。
【００１７】
符号化手段は、ＰＵＩＤチケットとして使用されるべき、たとえば、数値コードなどの暗号化されたコードを作成することが好ましい。
【００１８】
好ましい実施例では、ＰＵＩＤチケットは符号化手段によって符号化され、バーコードフォーマットで提示される。特に好ましい実施例では、サイズがコンパクトであることから、ＥＡＮ−８およびコード２５インターリーブド（Ｃｏｄｅ ２５ ＩＮＴＥＲＬＥＡＶＥＤ）バーコードフォーマットが使用される。またはこれに代えて、ＰＤＳ４１７などの２次元的なバーコードもＰＵＩＤチケットを提示するために使用することができる。
【００１９】
応用例によっては、ＰＵＩＤチケットの送信が、ＰＵＩＤチケットの要求および／またはＰＵＩＤチケットへの支払の受取を条件とする。これらの応用例では、送信手段はＰＵＩＤチケットの要求を受取るための手段および／またはＰＵＩＤチケットへの支払を受取るための手段を含むことが好ましい。
【００２０】
要求は、ＷＭＬ（ＷＡＰ）アプリケーションを有する無線装置から行なわれてもよい。
【００２１】
送信手段は、ＰＵＩＤチケットが無線装置に配信されたことを確認するための手段を含むのが好ましい。
【００２２】
第２の局面では、上述の送信手段が提供される。
無線装置に送信される各ＰＵＩＤチケットは、一意のチケットである（たとえば、一意のコードまたは参照番号を含む）ことが好ましい。これは、たとえば、チケットの偽造防止などセキュリティ上の理由のためである。
【００２３】
無線装置は携帯電話であることが最も好ましいが、パームトップコンピュータまたはその他の何らかの装置などの無線装置であってもよい。
【００２４】
無線装置はＰＵＩＤチケットを受取るための手段を有する。さらに、無線装置はＰＵＩＤチケットを記憶するための記憶手段を有することが好ましい。
【００２５】
無線装置は、たとえばバーコードなどのＰＵＩＤチケットを表示するための、たとえば、画面などの表示手段を有することが好ましい。
【００２６】
ＰＵＩＤチケットがバーコードまたはその他何らかのグラフィック画像である実施例の場合、無線装置は、少なくとも幅６５画素および高さ２０画素の使用可能なスクリーン領域を有し、英数字を使用するだけでなく、グラフィックモードで、すなわち画素ごとに描画できることが好ましい。
【００２７】
第３の局面では、上述の無線装置が提供される。
好ましい実施例では、無線装置はＰＵＩＤチケットの受取りおよび表示を可能にするソフトウェアを含む。特に好ましい実施例では、ソフトウェアによってＰＵＩＤチケットの記憶も可能である。この目的に好適なソフトウェアおよび規格の例は、Ｍａｇｉｃ ４ Ｃｌｉｅｎｔ、 Ｎｏｋｉａ Ｓｍａｒｔ Ｍｅｓｓａｇｉｎｇ、Ｅｎｈａｎｃｅｄ Ｍｅｓｓａｇｉｎｇ Ｓｅｒｖｉｃｅｓ（ＥＭＳ）、Ｗｉｒｅｌｅｓｓ Ｍａｒｋ−ｕｐ Ｌａｎｇｕａｇｅ（ＷＭＬ）またはＣｏｍｐａｃｔ ＨＴＭＬ（ＣＨＴＭＬ）を含む。
【００２８】
実施例によっては、ＰＵＩＤチケットは、検証された後、無効になる。たとえば、劇場に入場するためのＰＵＩＤチケットは一旦引換えられると無効となるため、チケットの保有者は別のチケットを買わなければ一度しか訪れることはできない。これらの実施例では、チケットが検証された後、ＰＵＩＤはソフトウェアによって無線装置から除去される。Ｍａｇｉｃ ４ Ｃｌｉｅｎｔソフトウェアもそのような除去を行なうことができる。
【００２９】
ロイヤルティチケットまたは会員チケットなどの他の応用例の場合、チケット保有者とチケット引換者との関係が続いている間、ＰＵＩＤチケットが無線装置の上に残ることが好ましい。
【００３０】
第４の局面では、上述の無線装置のためのソフトウェアが提供される。
検証手段は、たとえば無線装置の表示手段から、またはさもなくば無線装置からチケット表現にアクセスすることによって、ＰＵＩＤチケットを読取るための読取手段を含み得る。チケットの表現にアクセスするための方法には、他にＩｒＤＡおよび無線の方法がある。
【００３１】
検証手段は、符号化されたＰＵＩＤチケットを復号するための復号手段を含むことが好ましい。
【００３２】
ＰＵＩＤチケットがバーコードフォーマットで符号化される実施例では、読取および復号手段は、当該技術分野で周知の種類のバーコードリーダーであることが好ましい。
【００３３】
一部の応用例、すなわちセキュリティの低い応用例では、検証手段は、チェックサムアルゴリズムを使用してＰＵＩＤチケットを検査し、既に検査したＰＵＩＤチケットのリストを記憶するため、検査されたチケットは再使用することはできない。
【００３４】
別の実施例では、検証手段は、有効なＰＵＩＤチケットの詳細を含むデータベースを含む。チケット引換者はこのデータベースにアクセスすることができるため、これを使用して無線装置に含まれるＰＵＩＤチケットが有効であるかを判定することができる。このデータベースは、たとえば、チケット引換者の敷地にあるコンピュータシステムなどの、第２の場所にあってもよい。またはこれに代えて、このデータベースは、たとえば、チケット発行センターのコンピュータシステムなどの、第１の場所にあってもよい。このデータベースは、たとえば、ＰＵＩＤチケットが発行されるたびに自動で更新されてもよいし、または手動で更新されてもよい。
【００３５】
検証手段は、検証の結果すなわちチケットの保有者が有効なＰＵＩＤチケットを有しているかを示すための指示手段を含む。
【００３６】
指示手段は、たとえば、メッセージを表示するコンピュータの画面などの可視の指示手段であってもよいし、および／または、たとえば、ブザーまたはアラームなどの可聴の指示手段であってもよい。
【００３７】
たとえば、ＰＵＩＤチケットが暗号化された数値のコードである実施例などの場合、検証手段は、たとえば、そのＰＵＩＤチケットを暗号化するのに使用された暗号化方法を認識するソフトウェアアプリケーションの形で無線装置内に含まれるため、別個の検証手段は必要とされない。通常、公開鍵／秘密鍵の暗号化のバージョンをＰＵＩＤチケットの暗号化に使用することができる。
【００３８】
これらの実施例では、指示手段は、無線装置自身の表示画面および可聴のトーンであることが好ましい。
【００３９】
好ましい実施例は検証手段に関連付けられた会計手段を有するため、有効であると検証されたチケットの数を会計の目的に使用することができる。
【００４０】
第５の局面では、上述の検証手段が提供される。
第６の局面では、チケット発行のための方法が提供され、この方法は、
無線装置にチケットの表現を送信するステップと、
無線装置上に提示されるチケットの表現の有効性を検証するステップとを含む。
【００４１】
好ましい実施例では、送信するステップは、たとえば、チケット発行センターなどの第１の場所で実行され、検証するステップは第２の場所で実行される。第２の場所はチケット引換者の敷地である。多くの応用例において、第１の場所と第２の場所とは互いに遠隔にある。
【００４２】
たとえば劇場またはナイトクラブのチケットを購入するなどの応用例では、この方法は、潜在的なチケット保有者による要求に応答してＰＵＩＤチケットを送信することにかかわる。
【００４３】
この要求は、たとえば、無線装置、電話またはインターネットなど、どのような手段を介して行なってもよい。
【００４４】
多くの場合、チケット保有者がＰＵＩＤチケットに支払をする必要がある。これは、チケット要求者がチケット発行者にクレジット／デビットカードの詳細を提供することによって行なってもよいし、またはこれに代えて、無線装置が携帯電話であれば、チケットの費用をチケット要求者の電話の口座に請求してもよい。またはこれに代えて、チケット要求者は以前に既にチケット発行者にクレジット／デビットカードの詳細を提供していることがあり得るため、チケットを要求する際、要求者は予め割当てられたＰＩＮ番号を発行者に提供して、ＰＵＩＤチケットの費用が支払カードに請求されるようにすることができる。
【００４５】
たとえば、販売促進用のクーポンチケットの発行などの他の応用例の場合、この方法は、特定の要求または支払を受取ることなく、潜在的なチケット保有者にチケットを送信することにかかわる。
【００４６】
ＰＵＩＤチケットは、たとえば、上述のもののような回線交換またはパケットに基づく通信システムを使用して送信されるのが好ましい。
【００４７】
好ましい実施例では、この方法は符号化するステップも含み、好ましくは送信する前にＰＵＩＤチケットを暗号化するステップも含む。たとえば、ＰＵＩＤチケットはバーコードのフォーマットまたは数値のフォーマットで符号化してもよい。
【００４８】
この方法は、送信されたＰＵＩＤチケットが無線装置によって受取られたかどうかを確かめる手段をさらに含むことが好ましい。たとえば、ＧＳＭおよびＳＭＳ送信手段は標準で配信受取手段を含み、これを使用してＰＵＩＤチケットが受取られたかどうかを確かめることができる。
【００４９】
好ましい実施例では、検証するステップは、符号化されたＰＵＩＤチケットを読取および、必要であれば、復号するステップを含む。ＰＵＩＤチケットがバーコードフォーマットで符号化されている場合、読取および復号は、当該技術分野で周知の標準のバーコードリーダを使用することによって行なうことができる。
【００５０】
検証のステップは、無線装置上のＰＵＩＤチケットをデータベースに含まれる有効なＰＵＩＤチケットの組と比較するステップも含む。このデータベースは、物理的に第１の場所、たとえば、チケット発行者によって管理されるコンピュータシステムにあってもよいし、またはＰＵＩＤチケットを読取および／または復号するために使用される手段に埋込まれてもよく、もしくは、たとえば、チケット引換者の敷地のコンピュータシステムなどの第２の場所にあってもよい。
【００５１】
この方法は、このデータベースを更新して有効なＰＵＩＤチケットの詳細の検索可能なリストを維持するステップを含むことが好ましい。更新は、たとえば、ＰＵＩＤチケットが送信されるたびに自動で実行されてもよいし、またはこれに代えて、データベースは有効なＰＵＩＤチケットの詳細を手動で入力することによって更新してもよい。
【００５２】
ＰＵＩＤチケットが暗号化された数値のコードである実施例は、検証のステップの中でデータベースを使用することを必要としない場合がある。これらの実施例では、検証のステップは、チケット引換者が確認コードを無線装置に入力することによって実行することができ、確認コードがＰＵＩＤチケットと合致する場合、チケットは有効であると見なされる。
【００５３】
そのようなデータベースの使用を必要としない他の実施例は、チェックサムアルゴリズムを使用することを伴い、検証手段は既に検査されたチケットのリストを記憶するため、検査されたチケットは再使用することはできない。
【００５４】
検証のステップは無線装置上に提示されるＰＵＩＤチケットが有効であるかを示すステップを含むことが好ましい。これは、上述の可聴の、または視覚的な指示手段を使用して行なってもよい。
【００５５】
実施例によっては、この方法は、検証後に無線装置からＰＵＩＤチケットを除去するステップを含むことが好ましい。これは、たとえば、劇場またはナイトクラブへの入場チケットなど、各チケットが一度だけ使用できる場合に適切である。
【００５６】
ロイヤルティチケット制度または会員チケットなど、チケットが再使用される場合、検証後チケットが除去されるのは望ましくない。
【００５７】
この発明のセキュリティの高い応用例では、この方法は、ＰＵＩＤチケットがチケット引換者によって読取られた後、セキュリティチェックを実行するステップを含む。このステップは、検証手段と、ＰＵＩＤチケット発行センターのコンピュータシステムとの間の通信を含み、コンピュータシステムは、ＰＵＩＤチケットが正しいチケット引換者に対して提示されたか、かつ正しい無線装置上に提示されたかをチェックする。これらの詳細が正しい場合、コンピュータシステムは個人識別番号（ＰＩＮ）要求をチケット保有者の無線装置に送信する。チケット保有者はＰＩＮを入力し、コンピュータシステムがそのＰＩＮの有効性をチェックする。ＰＵＩＤチケットが有効であり、かつＰＩＮが正しい場合のみ、チケット保有者はそのチケットを使用する資格が得られる。
【００５８】
この発明の好ましい実施例を添付の図面を参照して記載する。
図１は、コンピュータ１を示し、これはインターネット接続を有する。
【００５９】
潜在的なチケット保有者は、インターネットを使用して、チケットが必要な会場に関するウェブページにアクセスする。チケットを購入するために、潜在的なチケット保有者の携帯電話２に割当てられた電話番号を含め、さまざまな詳細がウェブサイトで入力される。
【００６０】
この情報をチケット発行センター３が受取る。センターは検査手順を実行して、携帯電話２がＰＵＩＤチケットを受取ることができるかどうかを確認する。この検査が完了すると、潜在的なチケット保有者は、ＰＵＩＤチケットへの支払を可能にするため、金融関連の詳細を提供するように求められる。
【００６１】
一旦支払が処理されると、センター３は、たとえば、ＥＡＮ−８バーコードフォーマットでＰＵＩＤチケットを作成する。
【００６２】
次に、このＰＵＩＤチケットは、たとえば、ＳＭＳを使用するＧＳＭなどの通信システムを使用して携帯電話２に伝送される。
【００６３】
チケットが有効であるイベントに先立って、発行センター３は、すべての有効なＰＵＩＤチケットのリストを作り、これを電子メール、ファックスまたはインターネットによってイベント会場に送信し、会場のコンピュータシステム７にあるデータベース４を有効なチケットの詳細で更新できるようにする。
【００６４】
会場に到着すると、チケット保有者はＰＵＩＤチケットを担持する携帯電話２を提示し、ＰＵＩＤチケットはスキャナ５を使用してスキャンされる。このスキャナはバーコードの情報を復号し、データベース４と通信して携帯電話２上に提示されるチケットが有効であるかをチェックする。
【００６５】
ＰＵＩＤチケットが有効である場合、コンピュータシステム７のＶＤＵ６は、「有効」メッセージを表示することにより、そのＰＵＩＤチケットが有効であることを示す。この場合、ＰＵＩＤチケットの保有者は会場にアクセスすることができる。
【００６６】
ＰＵＩＤチケットが無効である場合、コンピュータシステムはＶＤＵ６上に「無効」メッセージを表示し、ブザーが鳴る。この場合、そのＰＵＩＤチケットの保有者は入場することはできない。
【００６７】
図２は、この発明の第２の好ましい実施例によるロイヤルティカードシステムの概略図を示す。
【００６８】
顧客が小売業者のロイヤルティチケット制度に参加したい場合、顧客は所与の電話番号に電話して、発行センター３に接続する。次に、顧客はその携帯電話２の電話番号を伝える。
【００６９】
発行センターは特定された携帯電話がＰＵＩＤチケットを受取ることができるかをチェックし、もしそうであれば、センター３は、たとえば、コード２５インターリーブドバーコードフォーマットでＰＵＩＤチケットを作成する。このフォーマットは、より小型になるように設計された、標準のコード２５バーコードの特別な形である。
【００７０】
次に、このＰＵＩＤチケットは、ＳＭＳを使用するＧＳＭなどの通信システムを使用して、携帯電話２に伝送される。
【００７１】
センターは、有効なＰＵＩＤチケットの詳細を含むデータベース４を維持する。このデータベースは、ＰＵＩＤチケットが配信されるたびに自動または手動で更新される。
【００７２】
購入する場合、チケット保有者はＰＵＩＤチケットを担持する携帯電話を小売業者に提示し、ＰＵＩＤチケットはバーコードリーダ５を使用してスキャンされる。このリーダがバーコードの情報を復号し、小売業者の敷地にあるコンピュータシステム７が遠隔のデータベース４と通信して携帯電話２上に提示されるＰＵＩＤチケットが有効であるかをチェックする。ＰＵＩＤチケットが有効である場合、小売業者には有効性が示される。この指示は、小売業者のコンピュータシステムのＶＤＵ６上のメッセージとして現われてもよいし、および／またはブザーなどの可聴の指示として現われてもよい。
【００７３】
有効なＰＵＩＤチケットが提示された場合、小売業者はそのチケットの保有者にポイントを与えてもよい。通常、与えられるポイントの数はチケット保有者が支払った金額に依存する。
【００７４】
図３は、劇場で使用するための第３の好ましい実施例のためのフローチャートを示す。
【００７５】
潜在的なチケット保有者は、たとえば、第１の好ましい実施例のようにインターネットを使用して、または第２の好ましい実施例のように電話を使用して、チケットを要求する、９。
【００７６】
この要求は、発行センターによって処理され、発行センターは潜在的なチケット保有者の携帯電話の有効性をチェックする、１０。携帯電話がチケットを受取ることができるとみなされると、チケットの費用は潜在的なチケット保有者の携帯電話の口座に請求される、１１。
【００７７】
次に、センターは暗号化された数値のＰＵＩＤチケットを作成し、これは携帯電話に送信される、１２。
【００７８】
劇場に到着すると、チケット保有者は確認コードを所有するチケット引換者に携帯電話を提示する、１３。確認コードがチケット引換者によって携帯電話に入力され、１４、入力されたコードが携帯電話に含まれる暗号化されたＰＵＩＤチケットと合致する場合、携帯電話の表示画面はそのチケットが有効であるとの指示を表示する、１５。チケットが有効である場合、チケット保有者は劇場への入場を許される、１６。
【００７９】
検証後、ＰＵＩＤチケットは携帯電話から除去される、１７。
図４は、セキュリティの高い応用例を有する第４の実施例の概略的な図である。
【００８０】
潜在的なチケット保有者１８は、電子商取引サイト１９にアクセスし、製品を選択し、チケットを要求する。チケット要求者はその携帯電話２に割当てられた電話番号を入力し、チケットの費用は要求者の電話番号の口座に請求される。
【００８１】
電子商取引サイト１９は、チケットの詳細をチケット発行センター３に送信する。センター３は携帯電話２がチケット発行センターに登録されているかをチェックする。登録されている携帯電話はすべて個人識別番号（ＰＩＮ）コードを割当てられている。
【００８２】
携帯電話２が登録されていない場合、チケット発行センター３は電子商取引サイト１９に通知し、要求者はその携帯電話、詳細を登録するように促される。
【００８３】
チケット発行センター３は、ＰＵＩＤチケットを符号化し、電子的な表現をフォーマットし、これを携帯電話２に送信する。
【００８４】
チケット保有者が携帯電話をチケット引換者２０に提示すると、電子的な表現はスキャナ５を使用してスキャンされる。スキャンされたコードは復号され、チケット発行センター３に送信され、確認される。
【００８５】
チケット発行センター３は、チケットが正しい携帯装置上に提示されているか、および正しいチケット引換者に提示されているかをチェックする。次にＰＩＮ要求が携帯電話２に送信される。
【００８６】
チケット保有者は携帯電話２上でＰＩＮコードを入力しなければならない。このＰＩＮはチケット発行センターに返される。ＰＩＮが有効である場合、チケット発行センター３はチケットが有効であるとの確認をチケット引換者２０に送信し、チケット引換者は製品をチケット保有者に渡す。
【００８７】
図５は、ＷＡＰ技術を使用するさらに好ましい実施例の概略的な図を示す。
ＷＡＰ携帯電話２を有するユーザは、ＷＡＰ携帯電話または標準のコンピュータのインターネット接続を使用してチケット発行センター３に接続する。ユーザは既にチケット発行センターに登録している場合もあれば、このときに登録を要求される場合もある。
【００８８】
ユーザは購入したい製品またはサービスを選択する。支払が必要である場合、ユーザは支払を承認し、取引が成功したとの通知を受ける。
【００８９】
後に、ユーザがチケットを引換えたい場合、ユーザはＷＡＰ対応携帯電話２を使用してチケット発行センター３のＷＡＰサービス２１に接続する。ユーザが好ましくは自動またはＰＩＮコードを使用して承認されると、購入したチケットを表示する選択肢を提示される。ユーザは関連するチケットを選択し、「選択を表示」を選択する。すると携帯電話２のスクリーン上にバーコードが表示され、チケット引換者がバーコードスキャナ５によってこれを読取る。
【００９０】
チケット引換者のコンピュータシステム７は、固定または移動装置であってもよく、チケット発行センターと通信してチケットが有効であるかを確認する。
【００９１】
チケット発行システムは取引についての会計情報を記録し、チケットが有効である場合、引換者のコンピュータシステム７に成功のメッセージが返される。
【００９２】
次に、チケットはユーザの購入されたチケットのリストから除去される。
チケット引換者は製品またはサービスをユーザに渡す。
【００９３】
これらの実施例は単に例として示されており、当業者にとっては変形が明らかであろう。
【図面の簡単な説明】
【図１】第１の好ましい実施例の概略的な図である。
【図２】第２の好ましい実施例の概略的な図である。
【図３】第３の好ましい実施例のフローチャート図である。
【図４】この発明の第４の好ましい実施例の概略的な図であり、この実施例はセキュリティの高い応用例である。
【図５】この発明の第５の好ましい実施例の概略的な図である。
【図３】
2004511052.tif 000002
【国際公開パンフレット】
2004511052.tif 000003
2004511052.tif 000004
2004511052.tif 000005
2004511052.tif 000006
2004511052.tif 000007
2004511052.tif 000008
2004511052.tif 000009
2004511052.tif 000010
2004511052.tif 000011
2004511052.tif 000012
2004511052.tif 000013
2004511052.tif 000014
2004511052.tif 000015
2004511052.tif 000016
2004511052.tif 000017
2004511052.tif 000018
2004511052.tif 000019
2004511052.tif 000020
2004511052.tif 000021
2004511052.tif 000022
2004511052.tif 000023
2004511052.tif 000024
2004511052.tif 000025
2004511052.tif 000026
2004511052.tif 000027
2004511052.tif 000028
2004511052.tif 000029
2004511052.tif 000030
2004511052.tif 000031
2004511052.tif 000032
2004511052.tif 000033
2004511052.tif 000034
2004511052.tif 000035
2004511052.tif 000036
【国際公開パンフレット（コレクトバージョン）】
2004511052.tif 000037
2004511052.tif 000038
2004511052.tif 000039